(57)【特許請求の範囲】
【請求項１】
検査しようとする携帯電話を所定状態にセットするためのベース、上記携帯電話の表示部を撮像して画像を得る撮像手段、上記携帯電話の操作ボタンの一を押下可能な押下手段を複数有するボタン操作手段、上記ボタン操作手段の動作制御及び該動作制御に対応する上記表示部の表示内容の可否を判断する制御手段、及び上記撮像手段で得た画像や上記制御手段からの信号に基づく画像の表示手段とからなり、上記制御手段が、予め得ておいた上記携帯電話の全体像を上記表示手段に表示させるとともに該表示した全体画像の表示部位置に上記撮像手段で得た上記表示部の画像を表示し、上記全体画像の上記操作ボタンの画像に対して上記複数の押下手段の一を割り当てて、該割り当てた上記操作ボタンの画像部に対する指示操作によって上記押下手段を動作させ、該動作によって変化する上記携帯電話の表示部の表示内容から、上記携帯電話の上記操作ボタンの押下と上記携帯電話の表示との一致性を確認可能としてなることを特徴とする携帯電話の検査装置。
【請求項２】
上記制御手段が、上記割り当てた上記操作ボタンの画像部に対する指示操作によって上記押下手段を動作させる手順を指定し、該操作手順に応じて上記携帯電話の表示部に表示されるべき画像を指定し、上記指定手順に応じた上記押下手段の動作によって上記携帯電話の表示部に表れる表示内容と、上記表示されるべき画像との一致性を確認可能としてなることを特徴とする請求項１の携帯電話の検査装置。
【発明の詳細な説明】
【０００１】
【発明の属する技術分野】
本発明は、携帯電話やＰＨＳ等（本明細書においては単に携帯電話という。）の操作ボタンが設計通りに機能するかどうかを判定するための検査装置に関する。
【０００２】
【従来の技術及び発明が解決しようとする課題】
周知のように携帯電話には多数の操作ボタンが設けられており、使用者は目的に応じて適宜これら操作ボタンを操作するようになっている。ところでこれらの操作ボタンは、単に電話をかけるためのダイアリングに用いられるだけでなく、電話機としての種々の設定のためにも用いられるようになっている。これらの設定には、例えばオートロック、通話料金表示、使用時間表示、着信音設定等があり、昨今の携帯電話はかなり多様かつ複雑な設定が可能になっている。
【０００３】
したがって携帯電話の製造者は、出荷前に操作ボタンを用いたこれらの設定操作、動作が不具合なく行えるかどうかを検査して判定、確認しておく必要がある。従来携帯電話の製造各社は、この判定、確認作業を手作業に近い形態で行っており、その手間が無視できないため、改良が求められていた。
【０００４】
そこで本発明は、上記従来の問題点にかんがみ、携帯電話の操作ボタンによる種々の設定動作が設計通りに行えるようになっているかどうかを簡単かつ自動的に判定できるようにした携帯電話の検査装置を提供することを目的とする。
【０００５】
【課題を解決するための手段】
本発明の携帯電話の検査装置のうち請求項１に係るものは、上記目的を達成するために、検査しようとする携帯電話を所定状態にセットするためのベース、上記携帯電話の表示部を撮像して画像を得る撮像手段、上記携帯電話の操作ボタンの一を押下可能な押下手段を複数有するボタン操作手段、上記ボタン操作手段の動作制御及び該動作制御に対応する上記表示部の表示内容の可否を判断する制御手段、及び上記撮像手段で得た画像や上記制御手段からの信号に基づく画像の表示手段とからなり、上記制御手段が、予め得ておいた上記携帯電話の全体像を上記表示手段に表示させるとともに該表示した全体画像の表示部位置に上記撮像手段で得た上記表示部の画像を表示し、上記全体画像の上記操作ボタンの画像に対して上記複数の押下手段の一を割り当てて、該割り当てた上記操作ボタンの画像部に対する指示操作によって上記押下手段を動作させ、該動作によって変化する上記携帯電話の表示部の表示内容から、上記携帯電話の上記操作ボタンの押下と上記携帯電話の表示との一致性を確認可能としてなることを特徴とする。
【０００６】
同請求項２に係るものは、上記目的を達成するために、上記制御手段が、上記割り当てた上記操作ボタンの画像部に対する指示操作によって上記押下手段を動作させる手順を指定し、該操作手順に応じて上記携帯電話の表示部に表示されるべき画像を指定し、上記指定手順に応じた上記押下手段の動作によって上記携帯電話の表示部に表れる表示内容と、上記表示されるべき画像との一致性を確認可能としてなることを特徴とする。
【０００７】
【発明の実施の形態】
以下本発明の実施の形態を図面を参照して説明する。
図１は、本発明に係る携帯電話の検査装置の一実施形態を概念的に示す側面図である。本実施形態装置は、判定、検査しようとする携帯電話１を予め定めた状態（図示の例では水平状態）にセットするためのベース２、携帯電話１の表示部であるＬＣＤパネル３を撮像し、ＬＣＤパネル３の画像を得る小型カメラ４、携帯電話１の操作ボタン（以下では特に必要がないかぎりキーボタンという。）５・・・の一つを押し下げ可能なフィンガー６を複数有するオートフィンガー７、オートフィンガー７の動作を制御するとともに、この動作制御に対応するＬＣＤパネル３の表示内容の可否を判断する等の制御のためのコンピュータ８、さらには小型カメラ４で得たＬＣＤパネル３の画像やコンピュータ８からの信号に基づく画像の表示手段となるモニタ９から構成してある。
【０００８】
本実施形態装置は、ベース２上に水平に載置した携帯電話１のキーボタン５に対してオートフィンガー７の所望のフィンガー６を駆動してキーボタン５を押し下げ、この押し下げによって変化するＬＣＤパネル３を小型カメラ４により撮影し、所望のキーボタン５の押し下げに伴って設計、製造時に設定した通りの画像がＬＣＤパネル３に表れるか否か等を判定するものである。
【０００９】
図２は、モニタ９にメイン画面として表示させる画面の内容を示す図である。この画面は、小型カメラ４により撮影したＬＣＤパネル３の画像３ａと、たとえばデジタルカメラ等で撮像して予め得ておいた判定、検査対象となる携帯電話１の全体平面画像１ａとを合成して示している。このメイン画面では、携帯電話１の全体平面画像１ａに表れている各種キーボタン５・・・の画像に対して適宜のエリアを有する枠５ａを設定し、これらの枠５ａごとにオートフィンガー７のフィンガー６の番号を割り当て、これによって遠隔でオートフィンガー７を駆動、制御できるようにする。
【００１０】
すなわち図２で全体平面画像１ａのキーボタンの画像の周りに表れている矩形の枠５ａがフィンガー６の番号を割り当て済みのものであり、この割り当てを行うと、携帯電話１に対する設定ファイルを作成できる。設定ファイルの作成手順を詳細に説明する。まず予め得てコンピュータ８の記憶装置内に格納しておいた携帯電話１の画像を指定して呼び出し、モニタ９に表示する。ついで小型カメラ４により撮影したＬＣＤパネル３の画像を表示する範囲をモニタ９上で指定する。具体的には、ＬＣＤパネル３を表示するエリアをモニタ９の画面上でマウス等のポインティングデバイスでドラッグすることによって座標を指定して設定する。もちろんこの指定座標をコンピュータ８はその記憶装置に記憶する。この設定したエリアに、小型カメラ４で得た画像を表示する。各キーボタンに対する設定は、例えば「電源／ＯＦＦ」ボタン５ｘに対する場合には、電源ＯＦＦボタン５ｘの周りをマウス等でドラッグし、四角い矩形の枠５ａを描き、この枠５ａに対してキーボタンの名称やフィンガー６の番号を割り当てる。図示は省略するが、モニタ９の画面上に設定用の小画面を出すようにするとよい。もちろんコンピュータ８は、これらの枠の座標と名称等も記憶しておく。そして設定した情報を、設定ファイルとしてコンピュータ８の記憶装置に保存する。
【００１１】
図３は、モニタ９にシナリオ画面として表示させる画面の内容を示す図である。この画面は、主にシナリオ表示部１０と期待値画像部１１を備えている。すなわち、上述したメイン画面上のキーボタン（実際には枠５ａ）を操作することで、シナリオすなわちキーボタンの操作手順を作成するとともに、この作成したシナリオに対して期待する画像を指定する。なお図示のシナリオ表示部１０と期待値画像部１１の画面は「オートロック」機能のシナリオを示し、キーボタンを５回押し下げすると、該当機能の評価を行うことを示す。以下、このシナリオをもとに検査を実行する例を説明する。
【００１２】
図４は、図３に示したシナリオ画面で作成したシナリオを実行する状態を示す図である。この画面は、主にシナリオ表示部１０とＬＣＤ画像表示部１２を備えている。すなわち、シナリオに記述されているキーボタンの情報により、コンピュータ８がオートフィンガー７のフィンガー６の動作を制御し、フィンガー６の動作によるキーボタン５の押し下げ時のＬＣＤパネル３の画面を取り込んで表示する。具体的には、先に作成した「オートロック」機能のシナリオを実行し、フィンガー６の押し下げにより変化したＬＣＤパネル３の画像を小型カメラ４で取り込み、その画像をそのまま表示している。
【００１３】
図５は、上述の動作を実行した後でシナリオが期待通りに実行されたかどうかの確認を行う状態を示す図である。この画面は、シナリオ表示部１０、期待値画像部１１、ＬＣＤ画像表示部１２に加え、判定、検査の対象となる携帯電話と判定件数等を表示する件数表示部１３、実行したシナリオを表示する実行シナリオ表示部１４及びシナリオを実行した結果による携帯電話の機能判定結果を示す判定表示部１５を備えている。
【００１４】
すなわちシナリオが期待通りに実行されたかどうかの確認を行うには、確認を行うべきシナリオの行をシナリオ表示部１０でマウス等で選択し、期待値画像部１１に期待値画像を、ＬＣＤ画像表示部１２に実行結果の画像を表示させ、両画像を比較判定することによって判定表示部１５に結果を入力する。なお画像の比較判定は目視によるものでもよいが、画像の自動認識ソフトウェア等を用いて自動判定を行うようにすることも容易である。
【００１５】
なお判定動作の結果をコンピュータ８の記憶装置に記憶しておき、実行を行ったシナリオの一覧から「オートロック」機能のシナリオを選択するとシナリオの内容が表示され、またシナリオの行を選択すると、期待値の画像と実行画像が表示されるようにしておくと、リアルタイムに判定を行うのではなく、所望の台数の携帯電話１に対して上述のシナリオの実行処理を施しておき、後から判定、検査を行うようにすることができる。
【００１６】
【発明の効果】
本発明のに係る携帯電話の検査装置は、以上説明してきたようなものなので、携帯電話やＰＨＳ等が、それらの操作ボタンによる種々の設定動作が設計通りに行えるようになっているかどうかを、簡単かつ自動的に判定できるようになるという効果がある。
【図面の簡単な説明】
【図１】本発明に係る携帯電話の検査装置の一実施形態を概念的に示す側面図である。
【図２】メイン画面の内容を示す図である。
【図３】シナリオ画面の内容を示す図である。
【図４】図３に示したシナリオ画面で作成したシナリオを実行する状態を示す図である。
【図５】シナリオが期待通りに実行されたかどうかの確認を行う状態を示す図である。
【符号の説明】
１  携帯電話
１ａ  携帯電話の全体平面画像
２  ベース
３  ＬＣＤパネル
３ａ  ＬＣＤパネルの画像
４  小型カメラ
５  操作ボタン（キーボタン）
５ａ  キーボタンのエリアを有する枠
５ｘ  電源／ＯＦＦボタン
６  フィンガー
７  オートフィンガー
８  コンピュータ
９  モニタ
１０  シナリオ表示部
１１  期待値画像部
１２  ＬＣＤ画像表示部
１３  件数表示部
１４  実行シナリオ表示部
１５  判定表示部
【図１】
0003714660.tif 000002
【図２】
0003714660.tif 000003
【図３】
0003714660.tif 000004
【図４】
0003714660.tif 000005
【図５】
0003714660.tif 000006